(57)【要約】【課題】変形形状保持体としての金属である針金や鉛棒には保持性能は優れるが手指を傷つける等安全上の問題があり、また従来の樹脂製変形形状保持体は安全ではあるが、保持性能が十分でなかったり、製造が複雑であったり、製品の形状としてもそれほど自由には生産できなかった。【解決手段】乳酸系樹脂組成物を押出成型等、単に加熱溶融成型加工することにより、種々の形状に容易に安価に加工することができ、しかも、安全でありながら、金属である針金や鉛棒と同等の変形形状保持性能を持つ変形形状保持体が得られた。【選択図】図２
2005231736.tif 000002
【特許請求の範囲】
【請求項１】
乳酸系樹脂を含有する組成物からなる変形形状保持体。
【請求項２】
乳酸系樹脂がポリ乳酸系脂肪族ポリエステル樹脂である、変形形状保持体。
【請求項３】
乳酸系樹脂がポリ乳酸系脂肪族ポリエステル樹脂であり、これと、脂肪族ポリエステル樹脂および脂肪族・芳香族ポリエステル樹脂から選ばれる１種類あるいは、１種類以上の複数の樹脂によるブレンド組成物からなる変形形状保持体。
【請求項４】
乳酸系樹脂がポリ乳酸系脂肪族ポリエステル樹脂であり、これと、熱可塑性樹脂から選ばれる１種類あるいは、１種類以上の複数の樹脂によるブレンド組成物からなる変形形状保持体。
【請求項５】
乳酸系樹脂がポリ乳酸系脂肪族ポリエステル樹脂であり、これと脂肪族ポリエステル樹脂および脂肪族・芳香族ポリエステル樹脂と、他の熱可塑性樹脂から選ばれる１種類あるいは、１種類以上の複数の樹脂によるブレンド組成物からなる変形形状保持体。
【請求項６】
乳酸系樹脂が請求項１ないし５に記載の変形形状保持体を、他の素材と部分的あるいは全体的に組み合わせてなる変形形状保持体。
【発明の詳細な説明】
【技術分野】
【０００１】    本発明は、種々の形状に容易に製造できる安全でしかも優れた形状保持性能を有する樹脂製の変形形状保持体に関するものである。
【背景技術】
【０００２】  従来、ひねり結束や自由変形部材として使用されていた形状保持体は、その保持性の安定性と使いやすさから、鉛棒や、なまし針金を用いたものであった。【０００３】  しかしながら、金属である針金や鉛棒は、食品の包装や、子供の玩具、勉強用具などや、身の回りの梱包資材には、手指に傷を負うなどの危険性の点で不向きである事は周知の事実であり、合成樹脂による形状保持材が望まれていた。【０００４】  一方、一部の用途では、樹脂製品を芯材にした形状保持材が提案発明されているものの、これらの多くはその樹脂の芯材としての形状保持性能が、樹脂の持つ復元性のために、針金に比べ劣る結果となっている。また、この対策として、異素材とラミネート成型する方法や、芯材の外観に特殊な成型をすることで復元性を抑えて使用する方法や、低温延伸、超高倍率延伸による方法が提案されているが、これらの方法は、製品の構成や構造の複雑さによる実用的な製造適性の問題があったり、高度の加工を要したり、性能上の不安定さや、使い勝手の悪さなどの問題点を多く持っている。
【特許文献１】実開昭６０−１９０６５４号
【特許文献２】特開平１１−００１２６３号
【特許文献３】特開２００３−７２８２９号
【発明の開示】
【発明が解決しようとする課題】
【０００５】  本発明が解決しようとする問題点は、一般的な変形形状保持体としての金属である針金や鉛棒が安全上の問題点を持つ点、また従来の樹脂製の変形形状保持体は保持性能が十分でなかったり、製造が複雑で高価であったり、製品の形状が制限されていたりする点である。
【課題を解決するための手段】
【０００６】  本発明は、乳酸系樹脂組成物を種々の形状に単に加熱溶融成型加工することで、優れた変形形状保持体を簡単に得ることができ、しかもこれらが安全に使用でき、容易に製造することができることで安価に供給することができることを発見したことにある。また、得られた乳酸系樹脂組成物より成る変形形状保持体を、他の素材と組み合わせ加工することにより得られる変形形状保持体も、優れた形状保持性能を有する。なお、この組成物には、目的により着色剤や発泡剤や種々の改質材を添加する事ができる。
【発明の効果】
【０００７】  本発明の変形形状保持体は、乳酸系樹脂組成物を押出成型加工や射出成型加工などの加熱溶融成型によって種々の形状のものが容易に得られ安価に供給することができ、さらにその保持体が、安全でかつ優れた変形形状保持性能を有することで、従来の樹脂製の変形形状保持体の欠点である形状保持性能が十分でない点や、形状に制限がある点や、低温延伸や超高倍率延伸等の特殊な加工が必要であったりする点や高価である点を改善できる利点があり、かつ、針金や鉛棒などの金属のもつ危険性を改善できる利点がある。
【発明を実施するための最良の形態】
【０００８】  乳酸系樹脂組成物を加熱成型加工することによって、手指に傷をつけたりする危険性がないひねり包装材、ひねり結束材、自由変形形状保持性能を利用した人形や手芸材料、花の芯材等として使用することのできる変形形状保持体を得た。
【実施例１】
【０００９】  以下、本発明を代表的な図面を参照して詳述する。しかしながら、本発明はこれらに限定されるものではない。
図１、図２、図３は、乳酸系樹脂組成物を押出成型加工した変形形状保持体例の一片である。
図４、図５は、図１の変形形状保持体例と他の素材を組み合わせたものであり、図６から図１０はこれらの使用例である。【００１０】  押出成型加工した変形形状保持体は、その断面が図１の円形の場合が使用応用しやすいが、図２のような異型、図３のようなテープ状シート状、フィルム状をはじめどのような形状でも良い。断面が円形状の場合、断面の直径は０．３ｍｍから６．０ｍｍが使いやすいが、目的によってはこれに制限されない。また、押出成型に限らず、射出成型他でもよい。
【実施例２】
【００１１】  成型された変形形状保持体と他の素材とを組み合わせて、ファッション性や機能を向上させることができる。
図４は、樹脂チューブの中に芯材として、図５は紙やポリエステルフィルムとの貼り合わせ品の芯材として図１の変形形状保持体を使用した例である。
この組み合わせ対象は、紙、樹脂フィルム、ゴム、粘土などが、主体として考えられるが、これらに限定されるものではない。
【実施例３】
【００１２】  図６から図７にひねり性能の使用例を示した。
図６はお菓子の開口部の封緘用結束材としての使用例を示した。
図７は、支柱と植物の苗茎や枝の結束例を示した。
結束材としては電線束、野菜その他工業用、農芸用など多くの物に使用される。また、フィルム・シート状ひねり包装材としても利用できる。【００１３】      図８から図１０に自由変形形状保持性能の使用例を示した。
図８は自由変形形状保持性能を利用して曲線などを描く自在定規である。
図８は、変形形状保持体を芯材として利用した図であるが、もちろん変形形状保持体自体のみの構成でもよい。
この性質を利用して、複雑な形状物の外面の型取り用材料としても使用できる。【００１４】  図９は造花の茎として、図１０は人形の芯材として使用した例を示す。
その他、手芸用などにも使用できる。【００１５】  また、織物の中に織り込んで、リボンや帯状物などの形を自由に変形した形状を保持させ意匠性の効果を高める用途などにも使用できる。また、撚紐や、編み物などにも使用できる。【００１６】  また、本発明による樹脂成型品はその形状をシートやフィルム状にした場合、その変形加工を樹脂シートやフィルムあるいは金属板等には必要であった加熱や加圧といった特殊な加工条件を加えることなく簡単に行うことができる。
【産業上の利用可能性】  本発明による乳酸系樹脂組成物からなる変形形状保持体は、樹脂製でありながら、従来の樹脂製の変形形状保持体のもつ欠点である保持性能が不十分な点や、製造が複雑で高価であり製品の形状が制限されていた点が改善されたこと、さらには一般的な変形形状保持体として使われる金属性の針金や鉛棒が安全上の問題点を持つ点にたいし、同等の形状保持性能を持ち、さらには樹脂製品であることで安全である点から種々の包装材や、結束材として使用でき、また、自由変形形状保持体を必要とする広い用途に応用できる。
【図面の簡単な説明】
【図１】断面が円形で線・棒状に成型したものの例。
【図２】断面が異型形状で成型したものの例。
【図３】断面が偏平のテープ・シート・フィルム状で成型したものの例。
【図４】異素材であるチューブ（２）の芯材として図１の断面を持つ本発明品（１）を使用したものの例。
【図５】異素材である紙テープ（３）を貼り合わせ、その芯材として図１の断面を持つ本発明品（１）を使用したものの例。
【図６】図１から図５に代表される形状の本発明品（４）をひねり結束材として菓子袋（５）の開口部の封緘用に使用したものの例。
【図７】図１から図５に代表される形状の本発明品（４）をひねり結束材として植物の茎（６）と支柱（７）の結束用に使用したものの例。
【図８】図１から図５に代表される形状の本発明品（４）を自在定規（８）の芯材として使用したものの例。
【図９】図１から図５に代表される形状の本発明品（４）を造花の茎（９）や枝（１０）の芯材として使用したものの例。
【図１０】図１から図５に代表される形状の本発明品（４）を自由にその姿勢を変えて楽しめる人形（１１）の芯材に使用したものの例。
【符号の説明】
（１）    図１の形状で成型加工した本発明による変形形状保持体。
（２）    組み合わせて使用する他の素材例。代表例ゴムチューブ。
（３）    組み合わせて使用する他の素材例。代表例紙。
（４）    図１から図５に代表される形状の本発明品。
（５）    開口部を結束する被包装体の例であるポリ袋製の菓子袋。
（６）    支柱（７）にささえられる植物の茎の例。
（７）    植物を支える支柱。
（８）    自在定規の例。
（９）    造花の茎に当たる部分。
（１０）  造花の枝にあたる部分。
（１１）  自由にその姿勢を変えて楽しめる人形の例。
【図１】
2005231736.tif 000003
【図２】
2005231736.tif 000004
【図３】
2005231736.tif 000005
【図４】
2005231736.tif 000006
【図５】
2005231736.tif 000007
【図６】
2005231736.tif 000008
【図７】
2005231736.tif 000009
【図８】
2005231736.tif 000010
【図９】
2005231736.tif 000011
【図１０】
2005231736.tif 000012